(57)【要約】【課題】液晶表示素子用バックライトに含まれる反射シートなどのシート材を、両面接着テープなどの接着手段によることなく、ホルダの収納凹部内に固定する。【解決手段】ホルダ１０の収納凹部１１内に、可撓性を有するシート材２２を配置して固定するにあたって、シート材２２本体の寸法を収納凹部１１の内寸法よりも実質的に小さく形成するとともに、シート材２２の少なくとも１辺に、同シート材２２を収納凹部１１内に収納する際、撓んだ状態で収納凹部１１の内周面に接触する突片２２１を連設し、突片２２１の弾性復元力によりシート材２２を収納凹部１１内に固定する。【選択図】  図２
2004264400.tif 000002
【特許請求の範囲】
【請求項１】
ホルダに形成されている収納凹部内に、可撓性を有するシート材を配置して固定するシート材の固定方法において、
上記シート材本体の寸法を上記収納凹部の内寸法よりも実質的に小さく形成するとともに、上記シート材の少なくとも１辺に、同シート材を上記収納凹部内に収納する際、撓んだ状態で上記収納凹部の内周面に接触する突片を連設し、上記突片の弾性復元力により上記シート材を上記収納凹部内に固定することを特徴とするシート材の固定方法。
【請求項２】
上記突片が上記シート材の対向する２辺に左右対称的に形成されている請求項１に記載のシート材の固定方法。
【請求項３】
上記突片が三角形状である請求項１または２に記載のシート材の固定方法。
【請求項４】
上記ホルダがバックライトとともに液晶パネルを収納する液晶表示素子用のホルダであり、上記シート材が上記バックライトの導光板に積層される光学的な薄膜のシート材である請求項１，２または３に記載のシート材の固定方法。
【発明の詳細な説明】
【０００１】
【発明の属する技術分野】
本発明は、シート材の固定方法に関し、さらに詳しく言えば、液晶パネル用のバックライトに含まれる光学的な薄膜のシート材をパネルホルダに固定するのに好適なシート材の固定方法に関するものである。
【０００２】
【従来の技術】
近年、液晶表示素子は、薄型，軽量，低消費電力といった特徴が好まれて、パーソナルコンピュータ、カーナビゲーションあるいは携帯電話機などの各種機器の平面表示装置として急速に利用されている。
【０００３】
液晶表示素子のうち、半透過型および透過型の機種は、その液晶パネルの裏面側にバックライトを備えている。バックライトには、直下型とサイドライト型とがあるが、特に携帯機器用の液晶表示素子には、薄型のサイドライト型が好ましく採用されている。
【０００４】
サイドライト型の場合、導光板の底面側に反射シートが配置され、導光板の上面（光出射面）側には拡散シートやプリズムシートなどが積層される。この組み立ては、図３に示すように、パネルホルダ１０内で行われる。
【０００５】
一般に、パネルホルダ１０は合成樹脂の成型品からなり、液晶パネルＰとほぼ同じ大きさの収納凹部１１を備えている。収納凹部１１は、底板１２とその周囲に四角枠状に立設された側枠１３とにより形成されており、側枠１３の一つに図示しないＬＥＤ収納部が設けられている。
【０００６】
この収納凹部１１内において、バックライト２０は、底板１２上に反射シート２２を配置し、その上にアクリル樹脂などの透明合成樹脂からなる導光板２１，拡散シート２３およびプリズムシート２４をこの順序で積み重ねることにより組み立てられ、このバックライト２０の上に液晶パネルＰが配置される。なお、実際には、プリズムシート２４はその複数枚が用いられ、また、最終的に液晶パネルＰには図示しない表示窓を有する外装ケースが被せられる。
【０００７】
【発明が解決しようとする課題】
この組み立て工程において、拡散シート２３は導光板２１の実質的な光出射面となるため、導光板２１に対して動かないように貼り付けられ、また、プリズムシート２４もきわめて薄く一寸した風などで動いてしまうため、その周囲が両面接着テープなどで止められる。
【０００８】
これに対して、反射シート２２は、最下部に配置されること、また、厳密な位置精度も要求されないこともあって、両面接着テープなどで止めることなく、単に底板１２上に置かれている。このため、次のような問題が生ずる。
【０００９】
すなわち、パネルホルダ１０には成型時の寸法誤差が含まれ、また、反射シート２２にしても裁断時の寸法誤差が含まれる。したがって、収納凹部１１内で反射シート２２が動くことがある。
【００１０】
反射シート２２は薄い合成樹脂シート材からなるが、携帯機器などでその全体が揺すられて収納凹部１１の内周面に衝突すると、カタカタなどという音が発生する場合がある。このカタカタ音はわずかではあるが、人によっては耳障りになることがある。
【００１１】
また、パネルホルダ１０は、バックライト２０が収納されるため、光をよく反射する白色系樹脂により形成され、反射シート２２も白色とすることがある。そうすると、収納凹部１１内に反射シート２２が入っているかどうか見分けにくく、例えば導光板２１を収納する前の搬送工程などで、反射シート２２が何らかの原因で脱落してしまっても気づかないことがある。
【００１２】
これを防止するには、反射シート２２を接着剤もしくは両面接着テープなどで収納凹部１１の底板１２に止めればよいのであるが、その分、部品コストおよび作業工数が増え、また、厚さも増えるため好ましくない。
【００１３】
したがって、本発明の課題は、液晶表示素子用のバックライトに含まれる反射シートなどのシート材を、両面接着テープなどの接着手段によることなく、ホルダの収納凹部内に固定できるようにすることにある。
【００１４】
【課題を解決するための手段】
上記課題を解決するため、本発明は、ホルダに形成されている収納凹部内に、可撓性を有するシート材を配置して固定するシート材の固定方法において、上記シート材本体の寸法を上記収納凹部の内寸法よりも実質的に小さく形成するとともに、上記シート材の少なくとも１辺に、同シート材を上記収納凹部内に収納する際、撓んだ状態で上記収納凹部の内周面に接触する突片を連設し、上記突片の弾性復元力により上記シート材を上記収納凹部内に固定することを特徴としている。
【００１５】
この構成によれば、シート材をホルダの収納凹部内に入れるだけで、シート材が収納凹部内に固定される。また、突片は目立つ存在であるため、ホルダとシート材が同色であっても、シート材が収納凹部内に入っているかどうかを容易に識別することができる。
【００１６】
本発明の好ましい態様によれば、上記突片は上記シート材の対向する２辺に左右対称的に形成される。また、突片の形状は半円形や四角形であってもよいが、仮に収納凹部とシート材との間の隙間が突片の突出量よりも大きく、外部からの揺さぶりにより突片が収納凹部の内周面に衝突したとしても、その衝突音（カタカタ音）を小さくするうえで、突片は三角形であることが好ましい。
【００１７】
本発明は、バックライトを有する液晶表示素子に好ましく適用され、その場合、上記ホルダが、バックライトとともに液晶パネルを収納する液晶表示素子用のホルダであり、バックライトの導光板に積層される光学的な薄膜のシート材に突片が設けられることになる。
【００１８】
【発明の実施の形態】
次に、図１および図２を参照して、本発明の実施形態について説明するが、本発明はこれに限定されるものではない。
【００１９】
図１はシート材の平面図で、図２はシート材をホルダ内に入れた状態を示す斜視図である。なお、この実施形態は、本発明を従来例として先に説明した図３のバックライトを有する液晶表示素子に適用したもので、図１のシート材はバックライト２０に含まれる反射シート２２であり、図２のホルダはパネルホルダ１０である。他の構成は、上記従来例と同じであってよいため、その説明および図示は省略する。
【００２０】
反射シート２２は、白色系の可撓性を有する高反射性合成樹脂シート材よりなり、また、パネルホルダ１０も白色系の合成樹脂からなるが、図２に示すように、パネルホルダ１０の１辺にはＬＥＤ収納部１４が設けられている。
【００２１】
本発明においては、接着剤や両面接着テープなどを用いることなく、反射シート２２をパネルホルダ１０の収納凹部１１内に固定するため、反射シート２２には、同反射シート２２を収納凹部１１内に収納する際、撓んだ状態で収納凹部１１の内周面に接触する突片２２１が連設されている。
【００２２】
この例において、反射シート２２および収納凹部１３はともに長四角形であり、突片２２１は反射シート２２の対向する短辺側の２辺２２ａ，２２ａに設けられている。
【００２３】
ここで、反射シート２２の短辺２２ａ間の距離（横幅）をＡ，突片２２１間の距離をＢとし、また、収納凹部１１の上記短辺２２ａ間に対応する側枠１３の内周面間の距離をＣ，その側枠１３の外周面間の距離をＤとすると、Ａ＜Ｃ≦Ｂであることが条件とされ、側枠１３の板厚にもよるが、ＢはＤよりも短い（Ｂ＜Ｄ）ことが好ましい。
【００２４】
すなわち、反射シート２２本体は収納凹部１１よりも小さい寸法としたうえで、その両側に突片２２１，２２１を形成する。これによれば、反射シート２２を収納凹部１１に入れると、図２に示すように、突片２２１，２２１が撓んだ状態で収納凹部１１の内周面に接触し、突片２２１，２２１の復元力により、反射シート２２が収納凹部１１内に固定される。
【００２５】
この場合、突片２２１，２２１は、図１において、異なる高さ位置に配置されてもよいが、収納凹部１１内において、突片２２１，２２１の復元力にて反射シート２２がその面に対して垂直な軸線を中心としてθ方向に回転しないようにするためには、突片２２１，２２１は、短辺２２ａ，２２ａの左右対称な位置に設けられることが好ましい。
【００２６】
突片２２１は、半円形や四角形であってもよいが、仮に、収納凹部１１と反射シート２２との間の隙間が突片２２１の突出量よりも大きく、外部からの揺さぶりにより、突片２２１が収納凹部１１の内周面に衝突したとしても、その衝突音（カタカタ音）を小さくするうえで、突片は三角形であることが好ましい。また、突片２２１の付け根側の幅Ｗはできるだけ小さくすることが望ましい。
【００２７】
本発明には、Ｂ＝Ｃすなわち、突片２２１間の距離Ｂと、収納凹部１１の側枠１３の内周面間の距離Ｃとが等しい場合も含まれる。この場合には、突片２２１は撓まないため、その復元力による固定は期待できないが、突片２２１の先端が側枠１３の内周面に突き当たることにより、少なくとも反射シート２２の動きは封じられる。
【００２８】
また、突片２２１は少なくとも反射シート２２のいずれか１辺に設けられれば本発明は成立するが、４辺のすべてもしくは隣接する２辺に設けられてもよく、その場合には、その配置に特に対称関係は要求されない。
【００２９】
また、本発明によれば、反射シート２２に設けられている突片２２１は目立つ存在であるため、反射シート２２とパネルホルダ１０とがともに白色系であっても、反射シート２２が収納凹部１１内に入っているかどうかを容易に識別することができる。なお、反射シート２２のみでなく、他の光学シートなどに突片を設けてもよく、本発明は、可撓性を有するシート材全般に適用可能である。
【００３０】
【発明の効果】
以上説明したように、本発明によれば、ホルダの収納凹部内に、可撓性を有するシート材を配置して固定するにあたって、シート材本体の寸法を収納凹部の内寸法よりも実質的に小さく形成するとともに、シート材の少なくとも１辺に、同シート材を収納凹部内に収納する際、撓んだ状態で収納凹部の内周面に接触する突片を連設し、突片の弾性復元力によりシート材を収納凹部内に固定するようにしたことにより、液晶表示素子用のバックライトに含まれる反射シートなどのシート材を、両面テープなどの接着手段によることなく、ホルダの収納凹部内に固定することができる。
【図面の簡単な説明】
【図１】本発明が適用されたシート材の一例を示す平面図。
【図２】上記シート材をホルダの収納凹部内に配置した状態を示す斜視図。
【図３】従来例を説明するための説明図。
【符号の説明】
１０  パネルホルダ
１１  パネル収納凹部
１２  底板板
１３  側枠
２０  バックライト
２１  導光板
２２  反射シート
２２１  突片
【図１】
2004264400.tif 000003
【図２】
2004264400.tif 000004
【図３】
2004264400.tif 000005